(57)【要約】【課題】タッチセンシング関連配線の断線又は損傷を防止することができる配線構造を有する表示装置及び表示パネルを提供すること。【解決手段】本発明の一実施例による表示装置及び表示パネルは、アクティブ領域に配置されたタッチラインとノンアクティブ領域に連結されたタッチ駆動回路を電気的に連結するためのタッチリンクラインを表示パネルのノンアクティブ領域に配置し、ノンアクティブ領域に配置されたタッチリンクラインは、アクティブ領域に配置されたタッチラインとは異なる物質であり、平坦化層の下に配置されるリンク構造を有する。このような構成により、ノンアクティブ領域でのタッチリンクラインの断線や損傷を防止することができる。【選択図】図６
2019105838.tif 000002
【特許請求の範囲】
【請求項１】
画像を表示するアクティブ領域と前記アクティブ領域の外郭領域であるノンアクティブ領域とで構成される第１基板及び前記第１基板と対向する第２基板と、
前記第１基板上で互いに交差して画素を区画する多数のゲートライン及び多数のデータラインと、
前記第１基板上の前記アクティブ領域で少なくとも一つの画素とそれぞれ重畳される多数のタッチ電極と、
前記多数のタッチ電極と電気的に連結される多数のタッチラインと、
前記第１基板上の前記ノンアクティブ領域に配置されるか電気的に連結され、前記多数のデータラインを駆動するデータ駆動回路及び前記多数のタッチ電極を駆動するタッチ駆動回路と、
前記第１基板上の前記ノンアクティブ領域に配置され、前記多数のデータラインと前記データ駆動回路を電気的に連結する多数のデータリンクラインと、
前記第１基板上の前記ノンアクティブ領域に配置され、前記多数のタッチラインと前記タッチ駆動回路を電気的に連結する多数のタッチリンクラインと、
を含み、
前記多数のタッチラインと前記多数のタッチリンクラインは、互いに異なる物質で構成され、且つ互いに異なる層に配置される
ことを特徴とする、表示装置。
【請求項２】
前記多数のタッチリンクラインは、前記多数のデータラインと同一の物質であることを特徴とする、請求項１に記載の表示装置。
【請求項３】
前記アクティブ領域で、前記多数のデータラインと前記多数のタッチラインは、互いに異なる物質であることを特徴とする、請求項１に記載の表示装置。
【請求項４】
前記ノンアクティブ領域で、前記多数のデータリンクラインと前記多数のタッチリンクラインは、互いに異なる物質であることを特徴とする、請求項１に記載の表示装置。
【請求項５】
前記多数のデータライン及び前記多数のタッチリンクラインは、前記多数のゲートライン及び前記多数のデータリンクラインの上に位置し、
前記多数のタッチラインは、前記多数のデータライン及び前記多数のタッチリンクラインの上に位置し、
前記多数のタッチラインと前記多数のデータラインとの間又は前記多数のタッチラインと前記多数のタッチリンクラインとの間に平坦化層をさらに含む
ことを特徴とする、請求項１に記載の表示装置。
【請求項６】
前記多数のゲートライン及び前記多数のデータリンクラインは、第１導電物質で構成され、
前記多数のデータラインは、第２導電物質で構成され、
前記多数のタッチラインは、第３導電物質で構成され、
前記多数のタッチリンクラインは、第２導電物質で構成される
ことを特徴とする、請求項５に記載の表示装置。
【請求項７】
前記多数のタッチラインと前記多数のタッチリンクラインを電気的に連結し、前記多数のタッチラインの上に位置するジャンピングパターンをさらに含むことを特徴とする、請求項６に記載の表示装置。
【請求項８】
前記ジャンピングパターンは、前記第１導電物質、前記第２導電物質及び前記第３導電物質とは異なる第４導電物質で構成されることを特徴とする、請求項７に記載の表示装置。
【請求項９】
前記タッチ駆動回路と前記多数のタッチリンクラインを電気的に連結し、前記多数のタッチラインの上に位置するタッチ連結パターンをさらに含むことを特徴とする、請求項６に記載の表示装置。
【請求項１０】
前記タッチ連結パターンは、前記第１導電物質、前記第２導電物質及び前記第３導電物質とは異なる第４導電物質で構成されることを特徴とする、請求項６に記載の表示装置。
【請求項１１】
前記データ駆動回路と前記多数のデータリンクラインを電気的に連結し、前記多数のタッチ電極の上に位置するデータ連結パターンをさらに含むことを特徴とする、請求項６に記載の表示装置。
【請求項１２】
前記データ連結パターンは、前記第１導電物質、前記第２導電物質及び前記第３導電物質とは異なる第４導電物質で構成されることを特徴とする、請求項１１に記載の表示装置。
【請求項１３】
前記データ駆動回路及び前記タッチ駆動回路は、統合集積回路の内部に含まれることを特徴とする、請求項１に記載の表示装置。
【請求項１４】
アクティブ領域に配置された多数のデータラインと、
前記アクティブ領域に配置された多数のタッチ電極と、
前記アクティブ領域に配置されて前記多数のタッチ電極と電気的に連結された多数のタッチラインと、
前記アクティブ領域の外郭領域であるノンアクティブ領域に配置されて前記多数のデータラインと電気的に連結された多数のデータリンクラインと、
前記ノンアクティブ領域に配置されて前記多数のタッチラインと電気的に連結された多数のタッチリンクラインと、
を含み、
前記多数のタッチラインと前記多数のタッチリンクラインは、互いに異なる物質で構成され、互いに異なる層に配置される
ことを特徴とする、表示パネル。
【請求項１５】
前記多数のタッチリンクラインと前記多数のタッチラインとの間に配置される平坦化層をさらに含むことを特徴とする、請求項１４に記載の表示パネル。
【請求項１６】
前記ノンアクティブ領域に配置された前記多数のタッチリンクラインは、前記アクティブ領域に配置された前記多数のデータラインと同一の物質であることを特徴とする、請求項１４に記載の表示パネル。
【請求項１７】
前記アクティブ領域で、前記多数のデータラインと前記多数のタッチラインは、互いに異なる物質であることを特徴とする、請求項１４に記載の表示パネル。
【請求項１８】
前記ノンアクティブ領域で、前記多数のデータリンクラインと前記多数のタッチリンクラインは、互いに異なる物質であることを特徴とする、請求項１４に記載の表示パネル。
【請求項１９】
アクティブ領域に配置された多数のタッチ電極と、
前記アクティブ領域に配置され、前記多数のタッチ電極と電気的に連結された多数のタッチラインと、
前記アクティブ領域の外郭領域であるノンアクティブ領域に配置され、前記多数のデータラインと電気的に連結された多数のデータリンクラインと、
前記ノンアクティブ領域に配置され、前記多数のタッチラインの上に配置されたジャンピングパターンを通じて前記多数のタッチランと電気的に連結され、前記多数のタッチラインとは異なる層で異なる物質で形成された多数のタッチリンクラインと、
タッチパネルを駆動及びセンシングし、前記多数のタッチラインの上に配置されたタッチ連結パターンを通じて前記多数のタッチリンクラインと電気的に連結されたタッチ駆動回路と、
を含むことを特徴とする、表示装置。
【請求項２０】
前記多数のタッチ電極の上に配置され、データ駆動回路と前記多数のデータリンクラインを電気的に連結するデータ連結パターンをさらに含むことを特徴とする、請求項１９に記載の表示装置。
【請求項２１】
前記データ連結パターンは、第１、第２、第３導電物質とは異なる第４導電物質を含むことを特徴とする、請求項２０に記載の表示装置。
【請求項２２】
前記多数のタッチリンクラインと前記多数のタッチラインとの間に配置された平坦化層をさらに含むことを特徴とする、請求項１９に記載の表示装置。
【請求項２３】
前記ノンアクティブ領域で、前記多数のタッチリンクラインは、前記アクティブ領域に配置された多数のデータラインと同一の物質に形成されたことを特徴とする、請求項１９に記載の表示装置。
【請求項２４】
前記アクティブ領域で、前記多数のデータラインと前記多数のタッチラインは、異なる物質に形成されたことを特徴とする、請求項１９に記載の表示装置。
【請求項２５】
前記ノンアクティブ領域で、前記多数のデータリンクラインと前記多数のタッチリンクラインは、異なる物質に形成されたことを特徴とする、請求項１９に記載の表示装置。
【発明の詳細な説明】
【技術分野】
【０００１】
本発明は、表示装置及び表示パネルに関する。
【背景技術】
【０００２】
情報化社会が発展するにしたがって画像を表示するための表示装置に対する要求が多様な形態で増加しており、近年では、液晶表示装置、有機発光装置などのようなさまざまな表示装置が活用されている。
【０００３】
このような表示装置の中には、ボタン、キーボード、マウスなどの通常の入力方式ではなく、ユーザが手軽く情報あるいは命令を直観的で且つ便利に入力できるタッチ基盤の入力方式を提供する表示装置がある。
【０００４】
このような表示装置がタッチ基盤の入力方式を提供するためには、ユーザのタッチ有無を把握してタッチ座標（タッチ位置）を正確に感知しなければならない。
【０００５】
それのため、表示装置は、タッチセンサー（Ｔｏｕｃｈ  Ｓｅｎｓｏｒ）として多数のタッチ電極が配置されたタッチパネルと、このようなタッチパネルを駆動してセンシングするタッチ駆動回路などを含むことができる。また、タッチパネルには、多数のタッチ電極とタッチ駆動回路を電気的に連結する多数のタッチラインも配置できる。
【０００６】
最近、表示装置のスリム化、製造工程の簡素化などのために、タッチパネルを内蔵するタイプの表示パネルが製作されている。
【０００７】
ユーザのタッチをより正確に感知するために、多数のタッチ電極は、なるべく表示パネルの上層部に位置する。したがって、映像表示領域であるアクティブ領域に配置された多数のタッチ電極とアクティブ領域の外郭領域であるノンアクティブ領域に位置したタッチ駆動回路とを電気的に連結する多数のタッチラインは、アクティブ領域からノンアクティブ領域まで延長して配置され、表示パネルの上層部に位置するようになる。
【０００８】
このように、タッチラインが表示パネルのノンアクティブ領域で上層部に位置するため、表示パネルを製作するときに進行するスクライブ（Ｓｃｒｉｂｅ）工程時、タッチラインが断線され、または損傷する問題がある。
【発明の概要】
【発明が解決しようとする課題】
【０００９】
このような背景から本発明の実施例の目的は、タッチセンシング関連配線の断線又は損傷を防止することができる配線構造を有する表示装置及び表示パネルを提供することにある。
【００１０】
本発明の実施例の他の目的は、アクティブ領域に配置されたタッチラインとノンアクティブ領域に連結されたタッチ駆動回路を電気的に連結するためのタッチリンクラインがノンアクティブ領域に配置され、このようなノンアクティブ領域でのタッチリンクラインの断線や損傷を防止することができるリンク構造を有する表示装置及び表示パネルを提供することにある。
【００１１】
本発明の実施例のまた他の目的は、配線物質種類の制限にもかかわらず、データ駆動及びタッチ駆動（タッチセンシング）のための主要信号配線のライン欠陥を防止することができる積層構造を有する表示装置及び表示パネルを提供することにある。
【課題を解決するための手段】
【００１２】
本発明の実施例は、多数のデータライン及び多数のゲートラインが配置され、多数のタッチ電極が配置され、多数のタッチ電極と電気的に連結された多数のタッチラインが配置された表示パネルと、多数のデータラインを駆動するデータ駆動回路と、多数のタッチ電極を駆動するタッチ駆動回路と、を含む表示装置を提供することができる。
【００１３】
このような表示装置で、表示パネルは、アクティブ領域とアクティブ領域の外郭領域であるノンアクティブ領域とを含んでいてもよい。
【００１４】
アクティブ領域には、多数のデータライン、多数のゲートライン、多数のタッチ電極及び多数のタッチラインが配置されることができる。
【００１５】
ノンアクティブ領域には、多数のデータラインとデータ駆動回路を電気的に連結する多数のデータリンクラインが配置され、多数のタッチラインとタッチ駆動回路を電気的に連結する多数のタッチリンクラインが配置されることができる。
【００１６】
多数のタッチラインと多数のタッチリンクラインは、互いに異なる物質であってもよい。
【００１７】
多数のタッチラインは、平坦化層の上に位置し、多数のタッチリンクラインは、平坦化層の下に位置することができる。
【００１８】
多数のタッチリンクラインは、多数のデータラインと同一の物質であってもよい。
【００１９】
アクティブ領域で、多数のデータラインと多数のタッチラインは、互いに異なる物質であってもよい。
【００２０】
ノンアクティブ領域で、多数のデータリンクラインと多数のタッチリンクラインは、互いに異なる物質であってもよい。
【００２１】
表示パネルは、第１導電物質からなる第１導電物質層と、第２導電物質からなる第２導電物質層と、第３導電物質からなる第３導電物質層と、を含み、第１導電物質、第２導電物質及び第３導電物質は、互いに異なる物質であってもよい。
【００２２】
平坦化層は、第１導電物質層及び第２導電物質層の上に位置し、第３導電物質層の下に位置することができる。
【００２３】
多数のタッチ電極は、平坦化層の上に位置することができる。
【００２４】
多数のデータリンクラインは、第１導電物質で構成され、多数のデータラインは、第２導電物質で構成され、多数のタッチラインは、第３導電物質で構成され、多数のタッチリンクラインは、第２導電物質で構成されることができる。
【００２５】
他の側面で、本発明の実施例は、アクティブ領域に配置された多数のデータラインと、アクティブ領域に配置された多数のタッチ電極と、アクティブ領域に配置されて多数のタッチ電極と電気的に連結された多数のタッチラインと、アクティブ領域の外郭領域であるノンアクティブ領域に配置されて多数のデータラインと電気的に連結された多数のデータリンクラインと、ノンアクティブ領域に配置されて多数のタッチラインと電気的に連結された多数のタッチリンクラインと、を含む表示パネルを提供することができる。
【００２６】
このような表示パネルで、多数のタッチラインと多数のタッチリンクラインは、互いに異なる物質であってもよい。
【００２７】
表示パネルで、多数のタッチラインは、平坦化層の上に位置し、多数のタッチリンクラインは、平坦化層の下に位置することができる。
【００２８】
また他の側面で、本発明の実施例は、第１基板と、第１基板に対向する第２基板と、を含む表示装置を提供することができる。
【００２９】
第１基板は、第２基板より拡張されることができる。
【００３０】
第１基板のアクティブ領域には、タッチ駆動信号が印加されるタッチ電極と、タッチ電極と電気的に連結されたタッチラインと、が配置されることができる。
【００３１】
第１基板のアクティブ領域の外郭領域であるノンアクティブ領域には、タッチラインとタッチパッドを電気的に連結するタッチリンクラインが配置されることができる。
【００３２】
タッチリンクラインは、タッチラインと互いに異なる物質からなってもよい。
【００３３】
第１基板上には、平坦化層が位置し、タッチラインは、アクティブ領域で平坦化層の上に位置し、タッチリンクラインは、ノンアクティブ領域で平坦化層の下部に位置することができる。
【００３４】
タッチリンクラインは、一つの例示で、ソース−ドレイン物質であってもよい。
【００３５】
また他の側面で、本発明の実施例は、画像を表示するアクティブ領域とアクティブ領域の外郭領域であるノンアクティブ領域とで構成される第１基板及び第１基板と対向する第２基板と、第１基板上で互いに交差して画素を区画する多数のゲートライン及び多数のデータラインと、第１基板上のアクティブ領域で少なくとも一つの画素とそれぞれ重畳される多数のタッチ電極及び多数のタッチ電極と電気的に連結される多数のタッチラインと、第１基板上のノンアクティブ領域に配置されるか電気的に連結されて多数のデータラインを駆動するデータ駆動回路及び多数のタッチ電極を駆動するタッチ駆動回路と、を含む表示装置を提供することができる。
【００３６】
このような表示装置は、第１基板上のノンアクティブ領域に配置され、多数のデータラインとデータ駆動回路を電気的に連結する多数のデータリンクラインと、第１基板上のノンアクティブ領域に配置され、多数のタッチラインとタッチ駆動回路を電気的に連結する多数のタッチリンクラインと、をさらに含んでいてもよい。
【００３７】
多数のタッチラインと多数のタッチリンクラインは、互いに異なる物質で構成され、互いに異なる層に配置されることができる。
【００３８】
多数のデータライン及び多数のタッチリンクラインは、多数のゲートライン及び多数のデータリンクライン上に位置し、多数のタッチラインは、多数のデータライン及び多数のタッチリンクライン上に位置することができる。
【００３９】
表示装置は、多数のタッチラインと多数のデータラインとの間又は多数のタッチラインと多数のタッチリンクラインとの間に平坦化層をさらに含んでいてもよい。
【発明の効果】
【００４０】
本発明の実施例によると、タッチセンシング関連配線の断線又は損傷を防止することができる配線構造を有する表示装置及び表示パネルを提供することができる。
【００４１】
本発明の実施例によると、アクティブ領域に配置されたタッチラインとノンアクティブ領域に連結されたタッチ駆動回路を電気的に連結するためのタッチリンクラインがノンアクティブ領域に配置され、このようなノンアクティブ領域でのタッチリンクラインの断線や損傷を防止することができるリンク構造を有する表示装置及び表示パネルを提供することができる。
【００４２】
本発明の実施例によると、配線物質の種類の制限にもかかわらず、データ駆動及びタッチ駆動（タッチセンシング）のための主要信号配線のライン欠陥を防止することができる積層構造を有する表示装置及び表示パネルを提供することができる。
【図面の簡単な説明】
【００４３】
【図１】本発明の実施例による表示装置の概略的なシステム構成図である。
【図２】本発明の実施例による表示装置のデータ駆動構造を示した図である。
【図３】本発明の実施例による表示装置のタッチ駆動構造を示した図である。
【図４】本発明の実施例による表示装置の駆動タイミングの例示図である。
【図５】本発明の実施例による表示装置で、ノンアクティブ領域の一部を示した図である。
【図６】本発明の実施例による表示装置で、ノンアクティブ領域内の一部リンク領域に配置されたデータリンクラインとタッチリンクラインを示した図である。
【図７】本発明の実施例による表示装置の表示パネルでの物質層の積層構造を示した図である。
【図８】本発明の実施例による表示装置のデータ駆動及びタッチ駆動と関連した主要信号配線を示した図である。
【図９】本発明の実施例による表示装置のデータ駆動及びタッチ駆動のための信号配線を示した断面図である。
【図１０】本発明の実施例による表示装置のデータ駆動及びタッチ駆動のための信号配線を示した別の断面図である。
【図１１】本発明の実施例による表示装置のデータ駆動及びタッチ駆動のための信号配線を示した更に別の断面図である。
【図１２】本発明の実施例による表示装置の表示パネルのノンアクティブ領域で、タッチリンクラインとタッチ駆動回路の連結構造を示した図である。
【図１３】本発明の実施例による表示装置の表示パネルのノンアクティブ領域で、データリンクラインとデータ駆動回路の連結構造を示した図である。
【図１４】本発明の実施例による表示パネルの製造工程のうちスクライブ工程を示した断面図である。
【発明を実施するための形態】
【００４４】
以下、本発明の一部実施例を例示的な図面を参照して詳細に説明する。各図面の構成要素に参照符号を付与するにおいて、同一の構成要素に対しては、たとえ他の図面上に表示されてもなるべく同一の符号を有することができる。また、本発明を説明するにおいて、関連された公知構成又は機能に対する具体的な説明が本発明の要旨と直接関連しないと判断される場合には、その詳細な説明は省略する。
【００４５】
また、本発明の構成要素の説明において、第１、第２、Ａ、Ｂ、（ａ）、（ｂ）などの用語を用いることができる。このような用語は、その構成要素を他の構成要素と区別するためのものに過ぎず、その用語によって該当構成要素の本質、順番、順序又は個数などが限定されない。いかなる構成要素が他の構成要素に「連結」、「結合」又は「接続」されると記載した場合、その構成要素はその他の構成要素に直接的に連結されるか又は接続されることができるが、各構成要素の間に他の構成要素が「介在」されるか、各構成要素が他の構成要素を通じて「連結」、「結合」又は「接続」されることも可能であると理解すべきである。
【００４６】
図１は、本発明の実施例による表示装置１００の概略的なシステム構成図である。
【００４７】
本発明の実施例による表示装置１００は、映像を表示するためのディスプレイ機能（Ｄｉｓｐｌａｙ  Ｆｕｎｃｔｉｏｎ）と、指、ペンなどのポインタによるタッチを感知するタッチセンシング機能（Ｔｏｕｃｈ  Ｆｕｎｃｔｉｏｎ）と、を提供することができる。
【００４８】
本発明の実施例による表示装置１００は、ディスプレイ機能を提供するために、多数のデータラインＤＬ及び多数のゲートラインＧＬが配置された表示パネル１１０と、多数のデータラインＤＬを駆動するデータ駆動回路１２０と、多数のゲートラインＧＬを駆動するゲート駆動回路１３０と、データ駆動回路１２０及びゲート駆動回路１３０の駆動動作を制御するコントローラ１４０などを含むことができる。
【００４９】
表示パネル１１０には、多数のデータラインＤＬと多数のゲートラインＧＬにより定義できる多数のサブピクセルＳＰが配列されることができる。表示パネル１１０は、映像表示領域に該当するアクティブ領域ＡＡと、その外郭領域であるノンアクティブ領域ＮＡと、を含むことができる。
【００５０】
データ駆動回路１２０は、多数のデータラインＤＬでデータ電圧を供給することができる。ゲート駆動回路１３０は、多数のゲートラインＧＬでゲート信号（スキャン信号）を順次に供給することができる。
【００５１】
コントローラ１４０は、データ駆動回路１２０及びゲート駆動回路１３０の駆動動作を制御するために、データ駆動回路１２０及びゲート駆動回路１３０にそれぞれ制御信号を出力することができる。また、コントローラ１４０は、データ駆動回路１２０に映像データを提供することができる。
【００５２】
本発明の実施例による表示装置１００は、自己容量（Ｓｅｌｆ−Ｃａｐａｃｉｔａｎｃｅ）に基盤してタッチをセンシングしてもよく、相互容量（Ｍｕｔｕａｌ−Ｃａｐａｃｉｔａｎｃｅ）に基盤してタッチをセンシングしてもよい。
【００５３】
以下、説明の便宜のために、本発明の実施例による表示装置１００は、自己容量に基盤してタッチをセンシングし、それに合わせる形態又は配置方式によって多数のタッチ電極ＴＥが表示パネル１１０に配置された場合を例に挙げて説明する。
【００５４】
本発明の実施例による表示装置１００は、タッチセンシング機能を行うために、多数のタッチ電極ＴＥと、多数のタッチ電極ＴＥのうち少なくとも一つを駆動するタッチ駆動回路１５０と、タッチ有無及び／又はタッチ位置を決定するタッチプロセッサ１６０などを含むことができる。
【００５５】
多数のタッチ電極ＴＥは、タッチセンサー（Ｔｏｕｃｈ  Ｓｅｎｓｏｒ）に該当し、表示パネル１１０に内蔵することができる。すなわち、表示パネル１１０は、タッチパネル内蔵型であってもよい。
【００５６】
多数のタッチ電極ＴＥは、表示パネル１１０のアクティブ領域ＡＡ内に配置されることができる。場合によっては、多数のタッチ電極ＴＥのうち最外郭に位置するタッチ電極は、表示パネル１１０のノンアクティブ領域ＮＡまで拡張されるか、ノンアクティブ領域ＮＡに位置してもよい。
【００５７】
タッチ駆動回路１５０は、多数のタッチ電極ＴＥを駆動するために、多数のタッチ電極ＴＥにタッチ駆動信号ＴＤＳを供給し、タッチ駆動信号ＴＤＳが供給された各タッチ電極ＴＥからタッチセンシング信号ＴＳＳを受信することができる。
【００５８】
タッチ駆動回路１５０は、受信したタッチセンシング信号ＴＳＳに基づいて生成されたセンシングデータをタッチプロセッサ１６０に提供することができる。
【００５９】
タッチプロセッサ１６０は、センシングデータを用いてタッチアルゴリズム（タッチ感知処理）を行い、これを通じてタッチ有無及び／又はタッチ位置を決定することができる。
【００６０】
１個のタッチ電極ＴＥは、１個のサブピクセルＳＰのサイズより大きくてもよい。すなわち、１個のタッチ電極ＴＥは、複数個のサブピクセルＳＰが占める領域のサイズに対応するかそれより大きいサイズを有することができる。例えば、１個のタッチ電極ＴＥ（単位タッチ電極）は、１個のサブピクセルＳＰより数倍〜数百倍のサイズを有することができる。
【００６１】
タッチ電極のサイズとサブピクセルのサイズ間の割合は、タッチ感知効率及び性能、又はタッチ感知によるディスプレイ影響などを総合的に考慮して調節できる。
【００６２】
また、１個のタッチ電極ＴＥは、開口部（オープン領域）がない電極であってもよく、一つ以上の開口部がある電極（例：メッシュタイプの電極）であってもよい。
【００６３】
図２は、本発明の実施例による表示装置１００のデータ駆動構造を示した図である。
【００６４】
図２を参照すると、データ駆動のために、表示パネル１１０には、多数のデータラインＤＬ、多数のデータリンクラインＤＬＬ及び多数のデータパッドＤＰなどのデータ信号伝達構造が配置される。
【００６５】
データ駆動回路１２０は、このようなデータ信号伝達構造によりデータ信号（データ電圧）を供給する。
【００６６】
データ駆動回路１２０から出力されたデータ信号（データ電圧）は、データパッドＤＰ、データリンクラインＤＬＬ及びデータラインＤＬを通じて該当サブピクセルＳＰ内のトランジスタを通じて特定電極（例：ピクセル電極、駆動トランジスタのゲート電極など）に最終的に印加されることができる。
【００６７】
表示パネル１１０でデータ信号伝達構造の位置を説明すると、多数のデータラインＤＬは、表示パネル１１０のアクティブ領域ＡＡに配置されることができる。場合によって、多数のデータラインＤＬは、ノンアクティブ領域ＮＡまで延長されてもよい。
【００６８】
多数のデータパッドＤＰは、表示パネル１１０のノンアクティブ領域ＮＡに配置され、データ駆動回路１２０が電気的に連結される一種の電極である。多数のデータパッドＤＰは、データ駆動回路１２０と直接連結されるかデータ駆動回路１２０が実装された印刷回路と連結されてもよい。
【００６９】
多数のデータリンクラインＤＬＬは、表示パネル１１０のノンアクティブ領域ＮＡに配置されることができる。多数のデータリンクラインＤＬＬのそれぞれにおいて、一端は、アクティブ領域ＡＡに配置されたデータラインＤＬと電気的に連結されるか、他端は、データパッドＤＰと電気的に連結されることができる。
【００７０】
図３は、本発明の実施例による表示装置１００のタッチ駆動構造（タッチセンシング構造）を示した図である。図４は、本発明の実施例による表示装置１００の駆動タイミングの例示図である。
【００７１】
図３を参照すると、タッチ駆動（タッチセンシング）のために、表示パネル１１０には、多数のタッチ電極ＴＥ、多数のタッチラインＴＬ、多数のタッチリンクラインＴＬＬ及び多数のタッチパッドＴＰなどのタッチ信号伝達構造が配置される。
【００７２】
タッチ駆動回路１５０は、このようなタッチ信号伝達構造によりタッチ信号（タッチ駆動信号、タッチセンシング信号）を表示パネル１１０と送受信することができる。
【００７３】
タッチ駆動回路１５０から出力されたタッチ信号のうち一つであるタッチ駆動信号ＴＤＳは、タッチパッドＴＰ、タッチリンクラインＴＬＬ及びタッチラインＴＬを通じてタッチ電極ＴＥに最終的に印加されることができる。
【００７４】
タッチ駆動回路１５０は、タッチの有無によってタッチ電極ＴＥで変わる電気的な特性によって、タッチ電極ＴＥでの電気的特性変化（例：キャパシタンス変化）によるタッチセンシング信号ＴＳＳをタッチラインＴＬ、タッチリンクラインＴＬＬ及びタッチパッドＴＰを通じて検出することができる。
【００７５】
表示パネル１１０でタッチ信号伝達構造の位置を説明すると、多数のタッチ電極ＴＥは、表示パネル１１０のアクティブ領域ＡＡに配置されることができる。場合によって、多数のタッチ電極ＴＥの一部はノンアクティブ領域ＮＡまで拡張されるか、ノンアクティブ領域ＮＡに配置されてもよい。多数のタッチ電極ＴＥのそれぞれには、１個以上のタッチラインＴＬが電気的に連結されることができる。
【００７６】
多数のタッチラインＴＬは、表示パネル１１０のアクティブ領域ＡＡに配置されることができる。場合によって、多数のタッチラインＴＬは、ノンアクティブ領域ＮＡまで延長されてもよい。
【００７７】
多数のタッチパッドＴＰは、表示パネル１１０のノンアクティブ領域ＮＡに配置され、タッチ駆動回路１５０が電気的に連結される一種の電極である。多数のタッチパッドＴＰは、タッチ駆動回路１５０と直接連結されるか、タッチ駆動回路１５０が実装された印刷回路と連結されてもよい。
【００７８】
多数のタッチリンクラインＴＬＬは、表示パネル１１０のノンアクティブ領域ＮＡに配置されることができる。多数のタッチリンクラインＴＬＬのそれぞれで、一端は、アクティブ領域ＡＡに配置されたタッチラインＴＬと電気的に連結されるか、他端は、タッチパッドＴＰと電気的に連結されることができる。
【００７９】
表示パネル１１０に配置された多数のタッチ電極ＴＥは、タッチセンシングのための専用タッチセンサーであってもよいが、場合によっては、ディスプレイの駆動に用いられた共用電極であってもよい。
【００８０】
例えば、多数のタッチ電極ＴＥは、ディスプレイの駆動のために共通電圧Ｖｃｏｍが印加される電極であって、且つタッチ駆動のためにタッチ駆動信号ＴＤＳが印加される共通電極であってもよい。
【００８１】
ディスプレイ駆動とタッチ駆動は、時分割された進行してもよく、同時に進行してもよい。
【００８２】
ディスプレイ駆動とタッチ駆動は、時分割して進行される場合、ディスプレイ駆動期間Ｄとタッチ駆動期間Ｔは、同期化信号ＴＳＹＮＣにより定義できる。
【００８３】
図４を参照すると、多数のタッチ電極ＴＥがディスプレイ駆動とタッチ駆動の両方に活用される電極である場合、ディスプレイ駆動期間Ｄの間には、ＤＣ電圧である共通電圧Ｖｃｏｍが多数のタッチ電極ＴＥに印加され、タッチ駆動期間Ｔの間には、パルス信号（又は変調された信号）であるタッチ駆動信号ＴＤＳが多数のタッチ電極ＴＥの全体又は一部に印加されることができる。
【００８４】
図５は、本発明の実施例による表示装置１００で、ノンアクティブ領域ＮＡの一部を示した図である。図６は、本発明の実施例による表示装置１００で、ノンアクティブ領域ＮＡ内のリンク領域ＬＫＡに配置されたデータリンクラインＤＬＬとタッチリンクラインＴＬＬを示した図である。
【００８５】
図５を参照すると、表示パネル１１０のアクティブ領域ＡＡには、多数のデータラインＤＬ、多数のゲートラインＧＬ、多数のタッチ電極ＴＥ及び多数のタッチラインＴＬなどが配置されることができる。
【００８６】
表示パネル１１０のノンアクティブ領域ＮＡは、パッド領域ＰＤＡとリンク領域ＬＫＡを含むことができる。
【００８７】
パッド領域ＰＤＡには、データ駆動回路１２０が電気的に連結される多数のデータパッドＤＰとタッチ駆動回路１２０が電気的に連結される多数のタッチパッドＴＰが配置されることができる。
【００８８】
リンク領域ＬＫＡには、多数のデータラインＤＬと多数のデータパッドＤＰを互に対応させて電気的に連結する多数のデータリンクラインＤＬＬ及び多数のタッチラインＴＬと多数のタッチパッドＴＰを互いに対応させて電気的に連結する多数のタッチリンクラインＴＬＬが配置されることができる。
【００８９】
データ駆動回路１２０及びタッチ駆動回路１５０は、それぞれ一つ以上の集積回路ＩＣで具現してもよい。データ駆動回路１２０及びタッチ駆動回路１５０は、それぞれＴＣＰ（Ｔａｐｅ  Ｃａｒｒｉｅｒ  Ｐａｃｋａｇｅ）タイプ、ＣＯＦ（Ｃｈｉｐ  Ｏｎ  Ｆｉｌｍ）タイプ又はＣＯＧ（Ｃｈｉｐ  Ｏｎ  Ｇｌａｓｓ）タイプなどに具現することができる。
【００９０】
それとは異なり、図５に示したように、データ駆動回路１２０及びタッチ駆動回路１５０は、統合されて統合集積回路５００の内部に含まれることができる。このような統合集積回路５００は、図５に示したように、ＣＯＧ（Ｃｈｉｐ  Ｏｎ  Ｇｌａｓｓ）タイプで具現することができ、ＴＣＰ（Ｔａｐｅ  Ｃａｒｒｉｅｒ  Ｐａｃｋａｇｅ）タイプ、ＣＯＦ（Ｃｈｉｐ  Ｏｎ  Ｆｉｌｍ）タイプなどでも具現できる。
【００９１】
上述したように、データ駆動回路１２０及びタッチ駆動回路１５０を統合集積回路５００で統合して具現することで、集積回路ＩＣの部品数を減らすことができ、アクティブ領域ＡＡで同一の方向に配置されたデータラインＤＬとタッチラインＴＬを効果的に駆動することができる。
【００９２】
図６に示したように、表示パネル１１０のノンアクティブ領域ＮＡ内のリンク領域ＬＫＡで、データリンクラインＤＬＬとタッチリンクラインＴＬＬは互いに部分的に重畳されることができる。
【００９３】
データリンクラインＤＬＬとタッチリンクラインＴＬＬは、電気的に分離しなければならないので、データリンクラインＤＬＬとタッチリンクラインＴＬＬは、絶縁層を間に置いて互いに異なる層に配置する必要がある。
【００９４】
データリンクラインＤＬＬとタッチリンクラインＴＬＬは、互いに異なる導電物質からなってもよい。
【００９５】
図６で、ＬＯＡ領域は、データリンクラインＤＬＬとタッチリンクラインＴＬＬが重畳される領域であり、ＬＯＡ領域での断面構造は、図１０を参照して後述する。図６で、ＴＢＡ領域は、タッチ駆動回路１５０とタッチリンクラインＴＬＬが連結される領域であり、ＴＢＡ領域での断面構造は、図１２を参照して後述する。図６で、ＤＢＡ領域は、データ駆動回路１２０とデータリンクラインＤＬＬが連結される領域であり、ＤＢＡ領域での断面構造は、図１３を参照して後述する。
【００９６】
図７は、本発明の実施例による表示装置１００の表示パネル１１０での物質層積層構造（Ｍａｔｅｒｉａｌ  Ｌａｙｅｒ  Ｓｔａｃｋ  Ｓｔｒｕｃｔｕｒｅ）を示した図である。
【００９７】
図７を参照すると、表示パネル１１０は、多様な物質からなった多数の層（Ｌａｙｅｒ）を含むことができる。
【００９８】
表示パネル１１０は、第１導電物質からなった第１導電物質層Ｍ１と、第２導電物質からなった第２導電物質層Ｍ２と、第３導電物質からなった第３導電物質層Ｍ３などを含むことができる。
【００９９】
第１導電物質、第２導電物質及び第３導電物質は、互いに異なる物質であってもよい。例えば、第１導電物質は、ゲート物質ＧＡＴＥであってもよく、第２導電物質は、ソース−ドレイン物質ＳＤであってもよく、第３導電物質は、モリブデンＭｏ金属などであってもよい。
【０１００】
ここで、ゲート物質ＧＡＴＥは、ゲートラインやトランジスタのゲート電極などで用いられる。ソース−ドレイン物質ＳＤは、データラインなどの各種信号配線やトランジスタのソース電極及びドレイン電極などで用いられる。
【０１０１】
第１導電物質層Ｍ１及び第２導電物質層Ｍ２は、平坦化層ＰＡＣの下に位置し、第３導電物質層Ｍ３は、平坦化層ＰＡＣの上に位置することができる。
【０１０２】
すなわち、平坦化層ＰＡＣは、第１導電物質層Ｍ１及び第２導電物質層Ｍ２の上に位置し、第３導電物質層Ｍ３の下に位置することができる。
【０１０３】
多数のタッチ電極ＴＥは、平坦化層ＰＡＣの上に位置することができる。
【０１０４】
このように、ユーザのタッチから影響を受けるタッチ電極ＴＥが平坦化層ＰＡＣの上に配置されることで、タッチの感度を向上させることができる。
【０１０５】
表示パネル１１０は、第１導電物質層Ｍ１、第２導電物質層Ｍ２及び第３導電物質層Ｍ３の以外にも、第４導電物質からなった第４導電物質層Ｍ４をさらに含んでいてもよい。
【０１０６】
第４導電物質は、上述した第１〜第３導電物質と異なってもよい。例えば、第４導電物質は、ＩＴＯ（Ｉｎｄｉｕｍ  Ｔｉｎ  Ｏｘｉｄｅ）などの透明電極物質であってもよい。
【０１０７】
第１導電物質層Ｍ１、第２導電物質層Ｍ２、第３導電物質層Ｍ３及び第４導電物質層Ｍ４は、絶縁層（例：ＩＮＳ、ＢＵＦ、ＰＡＣ、ＰＡＳ１、ＰＡＳ２など）を間に置いて互いに異なる層に位置することができ、少なくとも一つの地点で電気的に連結されてもよい。
【０１０８】
第１導電物質層Ｍ１、第２導電物質層Ｍ２、第３導電物質層Ｍ３及び第４導電物質層Ｍ４の積層配列について説明する。
【０１０９】
第１導電物質層Ｍ１、第２導電物質層Ｍ２、第３導電物質層Ｍ３及び第４導電物質層Ｍ４のうち第１導電物質層Ｍ１が最も下に位置する。
【０１１０】
第１導電物質層Ｍ１の上には、第２導電物質層Ｍ２が位置することができる。
【０１１１】
第１導電物質層Ｍ１と第２導電物質層Ｍ２は、絶縁層（ＩＮＳ、例：ゲート絶縁膜ＧＩ）により電気的に分離される。
【０１１２】
第２導電物質層Ｍ２の上にアクティブ層ＡＣＴが位置することができる。
【０１１３】
アクティブ層ＡＣＴの上に第２導電物質層Ｍ２が位置することができる。
【０１１４】
第２導電物質層Ｍ２の上にバッファー層ＢＵＦが位置することができる。
【０１１５】
バッファー層ＢＵＦの上に平坦化層ＰＡＣが位置することができる。
【０１１６】
平坦化層ＰＡＣの上に第１保護層ＰＡＳ１と第２保護層ＰＡＳ２が位置することができる。
【０１１７】
第１保護層ＰＡＳ１と第２保護層ＰＡＳ２との間に第３導電物質層Ｍ３が位置することができる。
【０１１８】
第２保護層ＰＡＳ２上に第４導電物質層Ｍ４が位置することができる。
【０１１９】
図８は、本発明の実施例による表示装置１００のデータ駆動及びタッチ駆動と関連した主要信号配線ＤＬ、ＤＬＬ、ＴＬ、ＴＬＬを示した平面図である。
【０１２０】
図８を参照すると、多数のデータラインＤＬは、第２導電物質で構成されることができる。多数のデータリンクラインＤＬＬは、第１導電物質で構成されることができる。多数のタッチラインＴＬは、第３導電物質で構成されることができる。多数のタッチリンクラインＴＬＬは、第２導電物質で構成されることができる。
【０１２１】
表示パネル１１０のアクティブ領域ＡＡとノンアクティブ領域ＮＡの観点から再説明すると次の通りである。
【０１２２】
アクティブ領域ＡＡで、多数のデータラインＤＬは、第２導電物質層Ｍ２に位置することができる。多数のタッチラインＴＬは、第３導電物質層Ｍ３に位置することができる。
【０１２３】
ノンアクティブ領域ＮＡで、多数のデータリンクラインＤＬＬは、第１導電物質層Ｍ１に位置することができる。多数のタッチリンクラインＴＬＬは、第２導電物質層Ｍ２に位置することができる。
【０１２４】
上述した構造によると、アクティブ領域ＡＡでデータラインＤＬとタッチラインＴＬとの間の短絡を防止することができ、ノンアクティブ領域ＮＡでデータリンクラインＤＬＬとタッチリンクラインＴＬＬとの間の短絡を防止することができる。
【０１２５】
図８を参照すると、アクティブ領域ＡＡで第２導電物質層Ｍ２に位置した多数のデータラインＤＬとノンアクティブ領域ＮＡで第１導電物質層Ｍ１に位置した多数のデータリンクラインＤＬＬは、一つの例示で、第４導電物質層Ｍ４に位置したデータ側連結パターンＣＰｄを通じて互いに連結されることができる。ここで、一つの例示で、データ側連結パターンＣＰｄは、アクティブ領域ＡＡとノンアクティブ領域ＮＡに全て重畳されることができる。
【０１２６】
より具体的な例として、図８を参照すると、アクティブ領域ＡＡで第２導電物質層Ｍ２に位置した多数のデータラインＤＬは、データ側連結パターンＣＰｄの一部とコンタクトホールＣＮＴ１ａを通じて連結され、ノンアクティブ領域ＮＡで第１導電物質層Ｍ１に位置した多数のデータリンクラインＤＬＬは、データ側連結パターンＣＰｄの他の一部と他のコンタクトホールＣＮＴ１ｎを通じて連結されることができる。これによって、アクティブ領域ＡＡで第２導電物質層Ｍ２に位置した多数のデータラインＤＬとノンアクティブ領域ＮＡで第１導電物質層Ｍ１に位置した多数のデータリンクラインＤＬＬは、電気的に連結されることができる。
【０１２７】
アクティブ領域ＡＡで第３導電物質層Ｍ３に位置した多数のタッチラインＴＬとノンアクティブ領域ＮＡで第２導電物質層Ｍ２に位置した多数のタッチリンクラインＴＬＬは、一つの例示で、第４導電物質層Ｍ４に位置したタッチ側連結パターンＣＰｔを通じて互いに連結されることができる。ここで、一つの例示で、タッチ側連結パターンＣＰｔは、アクティブ領域ＡＡとノンアクティブ領域ＮＡに全て重畳されることができる。
【０１２８】
より具体的な例として、図８を参照すると、アクティブ領域ＡＡで第３導電物質層Ｍ３に位置した多数のタッチラインＴＬは、タッチ側連結パターンＣＰｔの一部とコンタクトホールＣＮＴ２ａを通じて連結され、ノンアクティブ領域ＮＡで第２導電物質層Ｍ２に位置した多数のタッチリンクラインＴＬＬは、タッチ側連結パターンＣＰｔの他の一部と他のコンタクトホールＣＮＴ２ｎを通じて連結されることができる。これによって、アクティブ領域ＡＡで第３導電物質層Ｍ３に位置した多数のタッチラインＴＬとノンアクティブ領域ＮＡで第２導電物質層Ｍ２に位置した多数のタッチリンクラインＴＬＬは、電気的に連結されることができる。
【０１２９】
図８で、Ｘ−Ｘ’切取線が表示された領域の断面構造と、Ｙ−Ｙ’切取線が表示された領域の断面構造は、図９乃至図１１を参照して後述する。
【０１３０】
図９〜図１１は、本発明の実施例による表示装置１００の表示パネル１１０の断面図であって、データ駆動及びタッチ駆動のための信号配線ＤＬ、ＴＬ、ＤＬＬ、ＴＬＬを示した断面図である。ただし、図９は、図８のＸ−Ｘ’切取線が表示された領域の概略的な断面図であり、図１０は、図６のＬＯＡ領域に対する概略的な断面図であり、図１１は、図８のＹ−Ｙ’切取線が表示された領域の概略的な断面図である。
【０１３１】
図９を参照すると、表示パネル１１０のアクティブ領域ＡＡで、データラインＤＬとタッチラインＴＬの位置（すなわち、層（Ｌａｙｅｒ））を確認することができる。
【０１３２】
図９を参照すると、アクティブ領域ＡＡで、多数のデータラインＤＬと多数のタッチラインＴＬは、互いに異なる物質であってもよい。すなわち、アクティブ領域ＡＡで、多数のデータラインＤＬと多数のタッチラインＴＬは、互いに異なる物質層に位置することができる。
【０１３３】
図９を参照して例を挙げて説明する。
【０１３４】
第１基板ＳＵＢ１の上に絶縁層ＩＮＳが位置し、絶縁層ＩＮＳの上に第２導電物質層Ｍ２が位置する。ここで、第２導電物質層Ｍ２にデータラインＤＬが配置されることができる。
【０１３５】
第２導電物質層Ｍ２の上にバッファー層ＢＵＦが位置し、その上に平坦化層ＰＡＣが位置することができる。
【０１３６】
平坦化層ＰＡＣの上に第１保護層ＰＡＳ１が位置し、第１保護層ＰＡＳ１の上に第３導電物質層Ｍ３が位置することができる。第１保護層ＰＡＳ１の上に位置した第３導電物質層Ｍ３は、第２保護層ＰＡＳ２により覆われている。ここで、第３導電物質層Ｍ３にタッチラインＴＬが配置されることができる。
【０１３７】
アクティブ領域ＡＡでデータラインＤＬとタッチラインＴＬは、電気的に分離される必要がある。しかし、アクティブ領域ＡＡでデータラインＤＬとタッチラインＴＬは、上下に重畳されることができる。
【０１３８】
したがって、上述したように、アクティブ領域ＡＡでデータラインＤＬとタッチラインＴＬを互いに異なる層（Ｌａｙｅｒ）に配置することで、アクティブ領域ＡＡでデータラインＤＬとタッチラインＴＬとの間の短絡を防止することができる。
【０１３９】
図１０を参照すると、表示パネル１１０のノンアクティブ領域ＮＡで、データリンクラインＤＬＬとタッチリンクラインＴＬＬの位置（すなわち、層（Ｌａｙｅｒ））を確認することができる。
【０１４０】
図１０を参照すると、ノンアクティブ領域ＮＡで、多数のデータリンクラインＤＬＬと多数のタッチリンクラインＴＬＬは、互いに異なる物質であってもよい。すなわち、ノンアクティブ領域ＮＡで、多数のデータリンクラインＤＬＬと多数のタッチリンクラインＴＬＬは、互いに異なる物質層に位置することができる。
【０１４１】
図１０を参照して例を挙げて説明する。
【０１４２】
ノンアクティブ領域ＮＡで、多数のデータリンクラインＤＬＬは、第１導電物質からなった第１導電物質層Ｍ１に位置することができる。多数のタッチリンクラインＴＬＬは、第２導電物質からなった第２導電物質層Ｍ２に位置することができる。
【０１４３】
ここで、例えば、第１導電物質は、ゲート物質であってもよい。第２導電物質は、ソース−ドレイン物質であってもよい。
【０１４４】
ノンアクティブ領域ＮＡで、多数のデータリンクラインＤＬＬと多数のタッチリンクラインＴＬＬは、全て平坦化層ＰＡＣの下に位置することができる。
【０１４５】
上述の構造によると、ノンアクティブ領域ＮＡでデータリンクラインＤＬＬとタッチリンクラインＴＬＬとの間の短絡を防止することができる。
【０１４６】
一方、図９及び図１０を参照すると、ノンアクティブ領域ＮＡに配置された多数のタッチリンクラインＴＬＬは、アクティブ領域ＡＡに配置された多数のデータラインＤＬと同一の物質であってもよい。
【０１４７】
例えば、ノンアクティブ領域ＮＡに配置された多数のタッチリンクラインＴＬＬと、アクティブ領域ＡＡに配置された多数のデータラインＤＬは、第２導電物質（例：ソース−ドレイン物質など）であってもよい。
【０１４８】
上述したように、互いに異なる種類の信号配線ＤＬ、ＴＬＬが同一の種類の物質に形成されるが、互いに異なる領域ＡＡ、ＮＡに配置されることで、表示パネル１１０で用いられる物質の種類が減られる。
【０１４９】
図１１の断面図を参照すると、表示パネル１１０で、アクティブ領域ＡＡに配置されたタッチラインＴＬとノンアクティブ領域ＮＡに配置されたタッチリンクラインＴＬＬの連結構造を確認することができる。
【０１５０】
図１１を参照すると、アクティブ領域ＡＡに配置された多数のタッチラインＴＬとノンアクティブ領域ＮＡに配置された多数のタッチリンクラインＴＬＬは、互いに異なる物質であってもよい。すなわち、アクティブ領域ＡＡに配置された多数のタッチラインＴＬとノンアクティブ領域ＮＡに配置された多数のタッチリンクラインＴＬＬは、互いに異なる物質層であってもよい。
【０１５１】
例えば、アクティブ領域ＡＡに配置された多数のタッチラインＴＬは、第３導電物質（例：モリブデン金属など）であってもよく、ノンアクティブ領域ＮＡに配置された多数のタッチリンクラインＴＬＬは、第２導電物質（例：ソース−ドレイン物質）であってもよい。すなわち、アクティブ領域ＡＡに配置された多数のタッチラインＴＬは、第３導電物質層Ｍ３に位置することができ、ノンアクティブ領域ＮＡに配置された多数のタッチリンクラインＴＬＬは、第２導電物質層Ｍ２に位置することができる。
【０１５２】
図１１を参照すると、多数のタッチラインＴＬは、平坦化層ＰＡＣの上に位置することができる。しかし、多数のタッチラインＴＬと連結される多数のタッチリンクラインＴＬＬは、平坦化層ＰＡＣの下に位置することができる。
【０１５３】
言い換えると、表示パネル１１０に配置されるタッチ駆動関連信号配線ＴＬ、ＴＬＬは、アクティブ領域ＡＡでは平坦化層ＰＡＣの上に位置するが、ノンアクティブ領域ＮＡでは平坦化層ＰＡＣの下に位置することができる。
【０１５４】
このように、アクティブ領域ＡＡでは平坦化層ＰＡＣの上にタッチ駆動関連信号配線（タッチラインＴＬ）が配置され、ノンアクティブ領域ＮＡでは平坦化層ＰＡＣの下にタッチ駆動関連信号配線（タッチリンクラインＴＬＬ）が深く配置されることで、タッチが発生するアクティブ領域ＡＡではタッチ感度を低下しないと共にノンアクティブ領域ＮＡの上部で発生する外部衝撃などからノンアクティブ領域ＮＡでのタッチ駆動関連信号配線（タッチリンクラインＴＬＬ）が保護できる。
【０１５５】
図１１を参照すると、第３導電物質からなったタッチラインＴＬは、第４導電物質で構成された連結パターンＣＰｔに該当するジャンピングパターンＪＵＭＰを通じて、第２導電物質からなったタッチリンクラインＴＬＬと電気的に連結されることができる。
【０１５６】
ここで、ジャンピングパターンＪＵＭＰの一部分は、第２保護層ＰＡＳ２のコンタクトホールＣＮＴ２ａを通じてタッチラインＴＬと連結され、ジャンピングパターンＪＵＭＰの他の一部分は、第１、第２保護層ＰＡＳ１、ＰＡＳ２、平坦化層ＰＡＣ及びバッファー層ＢＵＦのコンタクトホールＣＮＴ２ｎを通じて、タッチリンクラインＴＬＬと連結されることができる。
【０１５７】
図１２は、本発明の実施例による表示装置１００の表示パネル１１０のノンアクティブ領域ＮＡで、タッチリンクラインＴＬＬとタッチ駆動回路１５０の連結構造を示した図であって、図６のＴＢＡ領域の断面図である。
【０１５８】
図１２を参照すると、ノンアクティブ領域ＮＡで、タッチ駆動回路１５０は、第４導電物質で構成されたタッチ連結パターンＴＬＰを通じて、第２導電物質からなった多数のタッチリンクラインＴＬＬと電気的に連結されることができる。ここで、タッチ連結パターンＴＬＰは、タッチパッドＴＰ又はそれと連結されたパターンであってもよい。
【０１５９】
上述した内容によると、平坦化層ＰＡＣの下の深い所に位置したタッチリンクラインＴＬＬをタッチ駆動回路１５０に効果的によく連結することができる。
【０１６０】
図１３は、本発明の実施例による表示装置１００の表示パネル１１０のノンアクティブ領域ＮＡで、データリンクラインＤＬＬとデータ駆動回路１２０の連結構造を示した図であって、図６のＤＢＡ領域の断面図である。
【０１６１】
図１３を参照すると、ノンアクティブ領域ＮＡで、データ駆動回路１２０は、第４導電物質で構成されたデータ連結パターンＤＬＰを通じて、第１導電物質からなった多数のデータリンクラインＤＬＬと電気的に連結されることができる。ここで、データ連結パターンＤＬＰは、データパッドＤＰ又はそれと連結されたパターンであってもよい。
【０１６２】
上述した内容によると、平坦化層ＰＡＣの下の深い所に位置したデータリンクラインＤＬＬをデータ駆動回路１２０に効果的によく連結することができる。
【０１６３】
以下、上述したデータ駆動及びタッチ駆動と関連した信号配線ＤＬ、ＤＬＬ、ＴＬ、ＴＬＬに対する構造による効果を説明するために、表示パネル１１０が液晶表示パネルである場合を例に挙げて説明する。
【０１６４】
図１４は、本発明の実施例による表示パネル１１０の製造工程のうちスクライブ（Ｓｃｒｉｂｅ）工程を示した概略的な断面図である。図１４は、図５に対する断面図であって、説明の便宜のために統合集積回路５００を省略し、タッチラインＴＬとタッチリンクラインＴＬＬがそれぞれ配置される層（Ｌａｙｅｒ）の観点から概略的に示した図である。
【０１６５】
図１４を参照すると、本発明の実施例による表示パネル１１０は、第１基板ＳＵＢ１と、第１基板ＳＵＢ１と対向する第２基板ＳＵＢ２と、を含んでいてもよい。ここで、第１基板ＳＵＢ１は、ＴＦＴ（Ｔｈｉｎ  Ｆｉｌｍ  Ｔｒａｎｓｉｓｔｏｒ）基板であり、第２基板ＳＵＢ２は、カラーフィルタＣＦ及びブラックマトリックスＢＭなどが位置するカラーフィルタ基板であってもよい。
【０１６６】
各種電極、配線及びトランジスタなどが形成された第１基板ＳＵＢ１と、カラーフィルタＣＦ及びブラックマトリックスＢＭなどが形成された第２基板ＳＵＢ２は、シーラントＳＥＡＬにより合着される。
【０１６７】
第１基板ＳＵＢ１は、第２基板ＳＵＢ２より拡張されることができる。
【０１６８】
第１基板ＳＵＢ１のアクティブ領域ＡＡには、タッチ駆動信号が印加されるタッチ電極ＴＥと、タッチ電極ＴＥと電気的に連結されたタッチラインＴＬと、が配置されることができる。
【０１６９】
第１基板ＳＵＢ１のアクティブ領域ＡＡの外郭領域であるノンアクティブ領域ＮＡには、タッチラインＴＬとタッチパッドを電気的に連結するタッチリンクラインＴＬＬが配置されることができる。
【０１７０】
タッチリンクラインＴＬＬは、タッチラインＴＬと互いに異なる物質からなってもよい。すなわち、タッチリンクラインＴＬＬとタッチラインＴＬは互いに異なる物質層に位置し、ジャンピングパターンＪＵＭＰを通じて電気的に連結されることができる。
【０１７１】
第１基板ＳＵＢ１の上には、平坦化層ＰＡＣが位置するが、タッチラインＴＬは、アクティブ領域ＡＡで平坦化層ＰＡＣの上に位置し、タッチリンクラインＴＬＬは、ノンアクティブ領域ＮＡで平坦化層ＰＡＣの下部に位置することができる。
【０１７２】
一方、第１、第２基板ＳＵＢ１、ＳＵＢ２を合着して表示パネル１１０を製作するとき、第２基板ＳＵＢ２に対するスクライブ（Ｓｃｒｉｂｅ）工程を進行するが、このとき、ノンアクティブ領域ＮＡで、第１基板ＳＵＢ１上の平坦化層ＰＡＣの上端部分１４００にスクラッチ（Ｓｃｒａｔｃｈ）が発生する可能性が高い。
【０１７３】
しかし、上述した構造によると、ノンアクティブ領域ＮＡで、タッチリンクラインＴＬＬが平坦化層ＰＡＣの下部に深く位置するので、パネルを製作するとき、ノンアクティブ領域ＮＡで、第１基板ＳＵＢ１上の平坦化層ＰＡＣの上端部分１４００にスクラッチ（Ｓｃｒａｔｃｈ）が発生してもタッチリンクラインＴＬＬが断線されず、また損傷しない。
【０１７４】
言い換えると、スクライブラインの位置で、タッチ信号の伝達配線構造に該当するタッチリンクラインＴＬＬが第１基板ＳＵＢ１上の平坦化層ＰＡＣの上端部分１４００に位置せず、第１基板ＳＵＢ１上の平坦化層ＰＡＣの下に位置することができる。したがって、スクライブ工程時、タッチ信号の伝達配線構造に該当するタッチリンクラインＴＬＬが短絡せず、また損傷しない。
【０１７５】
一方、ノンアクティブ領域ＮＡでは、アクティブ領域ＡＡに配置されたデータラインＤＬと電気的に連結されたデータリンクラインＤＬＬが配置されることができる。
【０１７６】
このようなデータリンクラインＤＬＬは、タッチリンクラインＴＬＬの下に位置することができる。
【０１７７】
一方、タッチリンクラインＴＬＬは、タッチラインＴＬと互いに異なる物質であるが、データラインＤＬとは同一の物質であってもよい。タッチリンクラインＴＬＬは、データラインＤＬとは同一の物質であるが、データリンクラインＤＬＬとは互いに異なる物質であってもよい。
【０１７８】
例えば、ノンアクティブ領域ＮＡで、平坦化層ＰＡＣの下に位置するタッチリンクラインＴＬＬは、ソース−ドレイン物質に該当する第２導電物質であってもよく、タッチリンクラインＴＬＬより下に位置するデータリンクラインＤＬＬは、ゲート物質に該当する第１導電物質であってもよい。
【０１７９】
以上で説明した本発明の実施例によると、タッチセンシング関連配線ＴＬ、ＴＬＬの断線又は損傷を防止することができる配線構造を有する表示装置１００及び表示パネル１１０を提供することができる。
【０１８０】
本発明の実施例によると、アクティブ領域ＡＡに配置されたタッチラインＴＬとノンアクティブ領域ＮＡに連結されたタッチ駆動回路１５０を電気的に連結するためのタッチリンクラインＴＬＬがノンアクティブ領域ＮＡに配置されるが、ノンアクティブ領域に配置されたタッチリンクラインＴＬＬが平坦化層ＰＡＣの下に深く配置されることで、パネルを製作するときのスクライブ工程によりノンアクティブ領域ＮＡでのタッチリンクラインＴＬＬが断線又は損傷することを防止することができるリンク構造を有する表示装置１００及び表示パネル１１０を提供することができる。
【０１８１】
本発明の実施例によると、配線物質種類の制限にもかかわらず、データ駆動及びタッチ駆動（タッチセンシング）のための主要信号配線ＴＬ、ＤＬ、ＴＬＬ、ＤＬＬのライン欠陥を防止することができる積層構造を有する表示装置１００及び表示パネル１１０を提供することができる。
【０１８２】
以上、説明及び添付した図面は、本発明の技術思想を例示的に示したものに過ぎず、本発明が属する技術分野において通常の知識を有した者であれば、本発明の本質的な特性から脱しない範囲で構成の結合、分離、置換及び変更などの多様な修正及び変形が可能である。したがって、本発明に開示された実施例は、本発明の技術思想を限定するためではなく説明するためのものであって、このような実施例によって本発明の技術思想の範囲が限定されるものではない。本発明の保護範囲は、下の請求範囲によって解釈すべきであり、それと同等な範囲内にある全ての技術思想は本発明の権利範囲に含まれることと解釈すべきである。
【符号の説明】
【０１８３】
１００：表示装置
１１０：表示パネル
１２０：データ駆動回路
１３０：ゲート駆動回路
１４０：コントローラ
１５０：タッチ駆動回路
１６０：タッチプロセッサ
【図１】
2019105838.tif 000003
【図２】
2019105838.tif 000004
【図３】
2019105838.tif 000005
【図４】
2019105838.tif 000006
【図５】
2019105838.tif 000007
【図６】
2019105838.tif 000008
【図７】
2019105838.tif 000009
【図８】
2019105838.tif 000010
【図９】
2019105838.tif 000011
【図１０】
2019105838.tif 000012
【図１１】
2019105838.tif 000013
【図１２】
2019105838.tif 000014
【図１３】
2019105838.tif 000015
【図１４】
2019105838.tif 000016